(57)【要約】【課題】本発明は、鋸歯電極を交換する際に、特殊な工具を必要とせず、手や指を傷つけることなく、かつ鋸歯電極の歯先も損傷せず、容易に鋸歯電極が交換可能な帯電装置を提供することを課題とする。【解決手段】本発明は、鋸歯状の電極を有した板状電極部材と、前記板状電極部材の両側及び、背面を囲むシールド板と、前記板状電極部材の長手方向に張力を付与する張力付与部材を備えた帯電装置において、前記板状電極部材の長手方向両端部に、挟持エリアを設けたことを特徴とする。【選択図】図２
2004252237.tif 000002
【特許請求の範囲】
【請求項１】
鋸歯状の電極を有した板状電極部材と、前記板状電極部材の両側及び、背面を囲むシールド板と、前記板状電極部材の長手方向に張力を付与する張力付与部材を備えた帯電装置において、前記板状電極部材の長手方向両端部に、挟持エリアを設けたことを特徴とする電子写真装置の帯電装置。
【請求項２】
前記張力付与部材は、それ自身を挟持可能な窪み又は突起を有し、前記板状電極部材の長手方向と平行にかつ、前記シールド板に沿ってスライド可能であることを特徴とする請求項１記載の電子写真装置の帯電装置。
【発明の詳細な説明】
【０００１】
【発明の属する技術分野】
本発明は電子写真装置の帯電装置に関するものである。
【０００２】
【従来の技術】
従来技術を図１１〜図１３を用いて説明する。
【０００３】
電子写真装置の帯電装置については、コロナ放電を行うための放電電極としてコロナワイヤが主に使用されているが、放電時、コロナワイヤから発生するオゾンの量を低減すべく、コロナワイヤの代わりに鋸歯状の放電電極（以降、「鋸歯電極」と記す）を用いた帯電装置が広く知られている。鋸歯電極は、薄い金属板をエッチング加工するなどして作られており、帯電装置への装着方式としては、鋸歯電極を支持部材に固着する方法であったり、図１２に示す如くコロナワイヤの張力設定に多く用いられているようなスプリング９による装着方式がある（例えば、特許文献１参照。）。
【０００４】
後者はコロナワイヤと同様にある一定の張力を確保するため、鋸歯電極１９の長手方向両端部に穴１４が設けられており、一方の穴は鋸歯電極取付け用電極ホルダ１５に設けられた突起部１８、もう一方の穴１４にはスプリング９が掛けられていて、スプリング９の反対側の端部をスプリング取付け用電極ホルダ１６に設けられたスプリング引掛け用穴１７に掛けることで鋸歯電極１９に所定の張力が付与される構造になっている。鋸歯電極取付け用電極ホルダ１５及び、スプリング取付け用電極ホルダ１６には鋸歯電極１９先端部以外からの異常放電を防ぐ目的等でホルダカバー１１が図示しないスナップフィット等によって取り付けられていて、着脱可能な構成になっている。
【０００５】
鋸歯電極を用いた帯電装置において、放電を長時間実施すると、鋸歯電極の先端付近に放電生成物である窒素酸化物が大気中の水分と反応して生成される硝酸が付着し、鋸歯電極先端部を腐食させてしまう。腐食の進んだ鋸歯電極はコロ放電が不均一になり、帯電が正常に行われず、印刷品質に不具合が生じる。
【０００６】
従って、上記構成の帯電装置の場合、印刷品質を一定のレベルに保つために定期的に鋸歯電極１９を交換する必要がある。交換方法として、ホルダカバー１１を外してから鋸歯電極１９に引掛けているスプリング９をピンセットまたは精密ドライバー等で鋸歯電極１９端部の穴１４から取り外した後、反対側の鋸歯電極１９端部を鋸歯電極取付け用電極ホルダ１５の突起１８から外し、鋸歯電極１９を帯電装置１から取り外す。
【０００７】
次に交換用の新しい鋸歯電極１９をピンセットまたは指等で掴み、鋸歯電極１９端部に設けられた穴１４を鋸歯電極取付け用電極ホルダ１５の突起１８にはめこむ。続いてピンセットまたは精密ドライバー等の工具を用いてスプリング取け用電極ホルダ１６に掛けられているスプリング９を引っ張り、鋸歯電極１９端部に設けられたもう一方の穴１４にスプリング９を引掛けることで一定の張力を付与する。次ぎにホルダカバー１１を鋸歯電極取付け用電極ホルダ１５、スプリング取付け用電極ホルダ１６にそれぞれ取り付けて交換完了となる。
【特許文献１】
特開平８−１９４３６３号公報
【０００８】
【発明が解決しようとする課題】
上述したように帯電装置は概ね小型で細長く、鋸歯電極交換時にはスプリングを鋸歯電極から取り外すための精密ドライバー等を必要としたり、鋸歯電極を掴むためのピンセット等、工具を予め用意しなければならない。工具を使わず指で直接鋸歯電極を掴もうとすると、誤って鋸歯電極の刃先に触れて電極先端部を変形させたり、指を傷つけてしまう恐れがある。
【０００９】
又、鋸歯電極単体ではなく帯電装置そのものを交換する方法もあるが、交換作業が容易である反面、交換する部品のコストは鋸歯電極単体に比べて高価であり、必ずしも良い方法とはいえない。
【００１０】
本発明は、鋸歯電極の交換作業を特別な工具を必要とせず、かつ容易に交換可能な帯電装置を得ることを目的としている。
【００１１】
【課題を解決するための手段】
上記目的は、鋸歯状の電極を有した板状電極部材と、前記板状電極部材の両側及び、背面を囲むシールド板と、前記板状電極部材の長手方向に張力を付与する張力付与部材を備えた帯電装置において、前記板状電極部材の長手方向両端部に、挟持エリアを設けることで達成される。
【００１２】
【発明の実施の形態】
以下、本発明の一実施例を図１〜図１０を用いて説明する。
【００１３】
本発明は、鋸歯電極２にはその両端に挟持エリア３を設けている。一方、帯電装置１にはシールド板４の両側に固定ホルダ５、スライドホルダ６が設置してあり、スライドホルダ６には背面にガイド７が設けられていて、シールド板４の背面に長手方向と平行に設けられた溝８に沿ってスライド可能な構成となっている。
スライドホルダ６にはスプリング引掛け用の穴１７が設けられていて、スプリング９が掛けられている。スプリング９の反対側の端部をシールド板４に設けられているスプリング引掛け用の穴２０に掛けることで所定の位置におかれ、スライドホルダ６の下部に設けた凹部１０に指を掛けることでスプリング９の伸縮性を利用し、ある一定の範囲を移動可能である。凹部１０は操作性または実装に問題が無ければ逆に凸部であっても構わない。
【００１４】
鋸歯電極２の歯先以外からの感光体への異常放電を防ぐために固定ホルダ５、スライドホルダ６にはそれぞれホルダカバー１１が取り付けられており、図示しないスナップフィット等により工具を使わず容易に着脱可能な構成となっている。
【００１５】
鋸歯電極２を交換する場合、まず固定ホルダ５、スライドホルダ６に取りつけているホルダカバー１１を取り外す。次にスライドホルダ６側に取り付けられている鋸歯電極２の挟持エリア３を掴みながら、スライドホルダ６下部の凹部１０に指をかけてスプリング９により作用している鋸歯電極２の張力が小さくなる方向（図４で右方向）にスライドホルダ６をスライドさせて、スライドホルダ６の突起１２から鋸歯電極２を取り外す。続いて鋸歯電極２の固定ホルダ５側の挟持エリア３を掴みながら固定ホルダ５の突起１３から鋸歯電極２を取り外す。
【００１６】
新たに鋸歯電極２を帯電装置１へ取り付ける場合は、まず鋸歯電極２の挟持エリア３を持ち、固定ホルダ５内部に設けられた突起１３へ鋸歯電極２端部の穴１４を差し込む。
【００１７】
次に反対側の鋸歯電極２の挟持エリア３を保持しながらスライドホルダ６下部の凹部１０に指をかけてスライドホルダ６を固定ホルダ５側にスライドさせ、スライドホルダ６内部の突起１２へ鋸歯電極２端部の穴１４を差し込んだ後、スライドホルダ６にかけていた指を外すことで、スライドホルダ６に連結されたスプリング９により所定の張力を鋸歯電極２に付与することができる。その後ホルダカバー１１を固定ホルダ５、スライドホルダ６にそれぞれ取り付けて交換作業終了となる
上記の如く本発明における鋸歯電極の交換時には精密ドライバーやピンセット等の工具は不要であり、さらに鋸歯電極の挟持エリアを保持することで指先が鋸歯電極の先端部に近接しないので交換時の歯先の破損がなく、歯先が指に刺さるというような危険からも回避できる。
【００１８】
【発明の効果】
以上説明したように本発明によれば、特別な工具を必要とせず、また手や指を傷つけることなく、かつ鋸歯電極の歯先も損傷せず、容易に鋸歯電極が交換可能な帯電装置を提供することができる。
【図面の簡単な説明】
【図１】本発明の一実施例である帯電装置の鋸歯電極を示す正面図である。
【図２】本発明の一実施例である帯電装置を示す斜視図である。
【図３】図２の背面斜視図である。
【図４】本発明の一実施例である帯電装置を示す断面図である。
【図５】図４の帯電装置からホルダカバーを取り外した状態の平面図である。
【図６】本発明の一実施例である帯電装置のシールド板背面の斜視図である。
【図７】本発明の一実施例である帯電装置のスライドホルダの斜視図である。
【図８】図７を反対側から見た斜視図である。
【図９】図７の背面の視図である。
【図１０】本発明の一実施例である帯電装置の固定ホルダの斜視図である。
【図１１】従来の帯電装置の鋸歯電極の例を示す正面図である。
【図１２】従来の帯電装置の一例を示す断面図である。
【図１３】従来の帯電装置のホルダカバーを取り外した状態の平面図である。
【符号の説明】
１は帯電装置、２は鋸歯電極、３は挟持エリア、４はシールド板、５は固定ホルダ、６はスライドホルダ、７はガイド、８はシールド板の溝、９はスプリング、
１０はスライドホルダの凹部、１１はホルダカバー、１２はスライドホルダの突起、１３は固定ホルダの突起、１４は鋸歯電極端部の穴、１５は鋸歯電極取付け用電極ホルダ、１６はスプリング取付け用電極ホルダ、１７はスプリング引掛け用穴、１８は鋸歯電極取付け用電極ホルダ突起部、１９は従来の鋸歯電極、２０はシールド板のスプリング引掛け用穴である。
【図１】
2004252237.tif 000003
【図２】
2004252237.tif 000004
【図３】
2004252237.tif 000005
【図４】
2004252237.tif 000006
【図５】
2004252237.tif 000007
【図６】
2004252237.tif 000008
【図７】
2004252237.tif 000009
【図８】
2004252237.tif 000010
【図９】
2004252237.tif 000011
【図１０】
2004252237.tif 000012
【図１１】
2004252237.tif 000013
【図１２】
2004252237.tif 000014
【図１３】
2004252237.tif 000015